(57)【要約】【課題】利用者が長時間に渡って座面に座っていることを可能にすると共に、マントの端部が弛みを防いで、効率良く蒸気をマント内に送り込むことができる座浴器を提供すること。【解決手段】箱体２の座面５と、背もたれ部３との間に、箱体２の一方の側端面位置から他方の側端面位置まで貫通する溝部７を設ける。【選択図】図１
0003122965.tif 000002
【実用新案登録請求の範囲】
【請求項１】
座面に開口部が形成され、前面または後面に扉を備えた箱体と、
該箱体に取り付けられた背もたれ部と、
該箱体の内側に供えられた移動自在な配置台と、
該配置台に配置された加熱手段と、
該加熱手段上に設けられ水および薬草を収容する容器とを備えた座浴器において、
上記背もたれ部と上記座面との間には、上記箱体の一方の側端面位置から他方の側端面位置まで貫通する所定深さの溝部が形成されていることを特徴とする座浴器。
【考案の詳細な説明】
【技術分野】
【０００１】
本考案は、座面に形成された開口部から、薬草を蒸して得られる蒸気を送り込む座浴器に関する。
【背景技術】
【０００２】
よもぎ等の薬草を蒸して得られる蒸気を、マントを着用した利用者の当該マント内に送り込み、美容と健康を増進させる装置が提案されている。
【０００３】
【特許文献１】登録実用新案第３０６９１１０号公報
【特許文献２】特開２００５−２７０５６５号公報
【考案の開示】
【考案が解決しようとする課題】
【０００４】
しかしながら、特許文献１に記載の技術は、背もたれ部がないため、利用者が長時間に渡って座面に座っていることが困難であるという問題があった。
【０００５】
また、特許文献２に記載の技術のように、背もたれ部を設けた装置も提案されているが、背もたれ部と座面が隙間無く密着しているため、利用者のマントの端部が弛み，効率良く蒸気をマント内に送り込むことができないという問題があった。
【０００６】
本考案はこのような現状に鑑みてなされたもので、利用者が長時間に渡って座面に座っていることを可能にすると共に，マントの端部が弛みを防いで，効率良く蒸気をマント内に送り込むことができる座浴器を提供するものである。
【課題を解決するための手段】
【０００７】
本考案は、上記問題点を解決するために、座面に開口部が形成され、前面または後面に扉を備えた箱体と、該箱体に取り付けられた背もたれ部と、該箱体の内側に供えられた移動自在な配置台と、該配置台に配置された電熱器等の加熱手段と、該加熱手段上に設けられ水および薬草を収容する容器とを備えた椅子型の座浴器において、背もたれ部と座面との間に、箱体の一方の側端面位置から他方の側端面位置まで貫通する所定深さの溝部を形成することを特徴とする。
【考案の効果】
【０００８】
本考案は、背もたれ部と座面との間に、箱体の一方の側端面位置から他方の側端面位置まで貫通する所定深さの溝部を形成しているので、利用者がマントを着用して箱体の座面に座った場合でも、マントの端部を当該溝部に挟み込むことによって、マントの弛みを防止することができ、開口部から放出される蒸気を効率良くマント内に送り込むことが可能になる。また、背もたれ部を設けているため、利用者が容易に長時間に渡って座浴を行うことが可能になる。
【考案を実施するための最良の形態】
【０００９】
次に、添付図面を用いて、本考案の一実施形態について説明する。図１に示すように、本実施形態における座浴器１は，木製の箱体２と、木製の背もたれ部３と、肘掛４とを備えている。また、箱体２の上部の座面５には、直径約１５ｃｍ程度の楕円形の開口部６が形成されている。
【００１０】
上記背もたれ部３と座面５との間には，図２（Ａ）、（Ｂ）、（Ｃ）、（Ｄ）に示すように，上記箱体２の一方の側端面位置から他方の側端面位置まで貫通する所定深さの溝部７が形成されている。この溝部７は、図２（Ａ）に示すように、背もたれ部３と座面５の間において、座面５の幅方向の全域に設けられており、図２（Ｂ）に示すように、上記箱体２の一方の側端面側から見ると、他方の側端面側まで貫通するように設けられている。
【００１１】
座面５は、箱体２の上部に取り付けられたクッション部５ａの表面に防水シートを取り付けることによって形成されており、この防水シートは、背もたれ部３の表面にも取り付けてられている。
【００１２】
座面５から突出するように設けられた肘掛４は、例えばキャリーバッグ等に用いられる取手部のように伸縮自在になっている。従って、利用者が好みの長さに調節することができる。また、図示しないロック機構が付いているので、所定の長さのところでロックすることができ、肘掛として安定して用いることが可能である。
【００１３】
さらに，箱体２の前部には開閉自在な扉８が設けられており、この扉８には、後述する加熱手段のコードを通すための孔部８ａが形成されている。
【００１４】
箱体２の内部は空洞になっている。この箱体２の内部には、移動自在な木製の配置台９が設けられている。この配置台９は、キャスター９ａによりスライド自在になっている。この配置台９の上部には、電熱器等の加熱手段１０が配置されている。電熱器を使用した場合には、図示しないＡＣコードを箱体２の外部に出す必要があるが、上述したように、扉８に形成された孔部８ａからＡＣコードを出せるようになっている。
【００１５】
さらに、この加熱手段１０の上部には、セラミック製等の容器１１が配置されている。この容器１１には、よもぎの他にハト麦、ハッカなどのハーブと、水約１．５リットルが収容される。
【００１６】
使用の際には、加熱手段１０によって容器１１内のよもぎその他の薬草を混ぜた水を沸騰させておく。利用者は全裸となってマントを着用し、座面５に背中を背もたれ部３にもたれかかるように座る。この際、座面５と背もたれ部３の間には、上述した溝部７が形成されているので、マントの端部をこの溝部７に挟み込むようにすることができ、マントの弛みを防止することができる。特に、この溝部７は、上記箱体２の一方の側端面位置から、他方の側端面位置まで貫通するように設けられているので、マントによって座面５の全体を弛みなく覆うことができる。その結果，容器１１から放出された蒸気を、開口部６を介して効率良くマント内に送り込むことができる。
【００１７】
また，背もたれ部３があるため、利用者は容易に長時間に渡って座面５に座っていることができ、座浴の十分な効果を期待することができる。
【００１８】
さらに、開口部６が楕円形に形成されているので、利用者がマントの中にすっぽりと入った状態で、開口部６を通して利用者の顔に蒸気を当てることが可能となっている。
【００１９】
なお、上述した扉８は、箱体２の前面部のほぼ全体が開閉自在となっている例を示したが、この例に限られることなく、箱体２の前面部の一部、例えば、加熱手段１０と容器１１とを取り出せる程度の大きさの扉としてもよい。この場合には、図３に示すように、配置台９の形状を平面視凸形状とすることもできる。このようにすることによって、配置台９を引き出して過ぎてしまうことを防止することができ、作業の容易化を図ることができる。
【００２０】
また、扉８は、箱体２の前面部ではなく、後面部に設けるようにしてもよい。このようにすることによって、この本発明に係る座浴器１を店舗に配置する際に、その配置の自由度を高めることができる。
【００２１】
さらに、上記実施形態における、箱体、背もたれ部、肘掛、配置台等の材質・大きさ、開口部の形状また直径、加熱手段の例は、あくまでも一例であり、本考案の目的・効果を奏する範囲内において変更することができる。また、溝部７の深さ及び幅も図１と図２に示した例はあくまでも一例であり、適宜変更可能である。
【図面の簡単な説明】
【００２２】
【図１】本考案の一実施形態における座浴器を示す斜視図である。
【図２】（Ａ）は、図１に示す座浴器の上面図、（Ｂ）は図１に示す座浴器の右側面図、（Ｃ）は図１に示す座浴器の正面図、（Ｄ）は図１に示す座浴器の左側面図である。
【符号の説明】
【００２３】
１ 座浴器
２ 箱体
３ 背もたれ部
４ 肘掛
５ 座面
６ 開口部
７ 溝部
８ 扉
９ 配置台
１０  加熱手段
１１  容器
【図１】
0003122965.tif 000003
【図２】
0003122965.tif 000004